(57)【要約】【課題】排出シート保持部にシートを排出するときには排出シート保持部でのシートの位置を規制しつつ、排出シート保持部にシートを排出しないときには排出シート保持部に排出されたシートを取り出し易くなるシート排出装置、画像形成装置及びシート処理装置を提供する。【解決手段】シートＰを搬送する搬送部１８の排出口９０から排出されたシートＰを保持する排出シート保持部１１と、排出シート保持部１１でのシートＰの位置を規制する位置規制部材１６と、を備えるシート排出装置２において、排出シート保持部１１に向かう排出路１１ａと他の搬送路１２ａとで案内先を切り換える分岐手段１０と、分岐手段１０が排出路１１ａに案内する状態では規制位置とし、分岐手段１０が他の搬送路１２ａに案内する状態では退避位置とするように位置規制部材１６を移動する規制部材移動手段１５０と、を備える。【選択図】図１
2019137482.tif 000002
【特許請求の範囲】
【請求項１】
シートを搬送する搬送部の排出口から排出された前記シートを保持する排出シート保持部と、
前記排出シート保持部での前記シートの位置を規制する位置規制部材と、を備えるシート排出装置において、
前記排出シート保持部に向かう排出路と他の搬送路とで案内先を切り換える分岐手段と、
前記分岐手段が前記排出路に案内する状態では規制位置とし、前記分岐手段が前記他の搬送路に案内する状態では退避位置とするように前記位置規制部材を移動する規制部材移動手段と、を備えることを特徴とするシート排出装置。
【請求項２】
請求項１のシート排出装置において、
前記位置規制部材は、前記規制位置から上方に移動することで前記退避位置に移動することを特徴とするシート排出装置。
【請求項３】
請求項２のシート排出装置において、
前記規制位置に位置する状態の前記位置規制部材の下端部は、前記排出シート保持部のシート載置面よりも下方であることを特徴とするシート排出装置。
【請求項４】
請求項１乃至３の何れか一項に記載のシート排出装置において、
前記他の搬送路は、前記排出シート保持部に対して前記シートの排出方向に並列に配置された第二排出シート保持部に前記シートを排出する第二排出路であることを特徴とするシート排出装置。
【請求項５】
請求項２または３のシート排出装置において、
前記他の搬送路は、前記排出シート保持部に対して前記シートの排出方向に並列に配置された第二排出シート保持部に前記シートを排出する第二排出路であり、
前記第二排出シート保持部は、前記排出シート保持部の上方に位置し、排出される前記シートの下面を保持する第二排出トレイを備え、
前記第二排出トレイの下部に前記位置規制部材を配置し、前記分岐手段の状態に応じて前記第二排出トレイが上下方向に移動することを特徴とするシート排出装置。
【請求項６】
請求項１乃至５の何れか一項に記載のシート排出装置において、
前記位置規制部材は、前記排出シート保持部における前記シートの排出方向の先端の位置を規制する先端位置規制部材であることを特徴とするシート排出装置。
【請求項７】
請求項６のシート排出装置において、
前記先端位置規制部材の、前記排出シート保持部における前記シートの排出方向の位置を変更可能であることを特徴とするシート排出装置。
【請求項８】
請求項１乃至７の何れか一項に記載のシート排出装置において、
前記分岐手段は、前記シートを前記排出路に案内する排出案内位置と、前記シートを前記他の搬送路に案内する他の案内位置とで移動する分岐部材を備え、
前記位置規制部材は、前記分岐部材と一体的に移動することを特徴とするシート排出装置。
【請求項９】
シート状の記録媒体に画像を形成する画像形成部と、
画像が形成され、排出口から排出された前記記録媒体を保持する排出記録媒体保持部と、を備える画像形成装置において、
請求項１乃至８の何れか一項に記載のシート排出装置の構成を備えることを特徴とする画像形成装置。
【請求項１０】
シートに対して、綴じ処理、穴開け処理または折り処理の少なくとも一つのシート処理を行うシート処理部を備えるシート処理装置において、
請求項１乃至８の何れか一項に記載のシート排出装置の構成を備えることを特徴とするシート処理装置。
【発明の詳細な説明】
【技術分野】
【０００１】
本発明は、シート排出装置、画像形成装置及びシート処理装置に関するものである。
【背景技術】
【０００２】
従来、シートを搬送する搬送部の排出口から排出されたシートを保持する排出シート保持部と、排出シート保持部でのシートの位置を規制する位置規制部材と、を備えるシート排出装置が知られている。
例えば、特許文献１には、排出シート保持部を構成する延長トレイの排紙方向先端部に、シート状の用紙の先端位置を規制する位置規制部材であるエンドフェンスを備える排紙トレイ装置が記載されている。
【発明の概要】
【発明が解決しようとする課題】
【０００３】
しかしながら、位置規制部材を備えるシート排出装置では、排出シート保持部に排出されたシートをユーザー等の作業者が取り出そうとすると、位置規制部材が邪魔となって取り出しにくく、無理に取り出そうとするとシートが破損するおそれがあった。
【課題を解決するための手段】
【０００４】
上述した課題を解決するために、本発明は、シートを搬送する搬送部の排出口から排出された前記シートを保持する排出シート保持部と、前記排出シート保持部での前記シートの位置を規制する位置規制部材と、を備えるシート排出装置において、前記排出シート保持部に向かう排出路と他の搬送路とで案内先を切り換える分岐手段と、前記分岐手段が前記排出路に案内する状態では規制位置とし、前記分岐手段が前記他の搬送路に案内する状態では退避位置とするように前記位置規制部材を移動する規制部材移動手段と、を備えることを特徴とするものである。
【発明の効果】
【０００５】
本発明によれば、排出シート保持部にシートを排出するときには排出シート保持部でのシートの位置を規制しつつ、排出シート保持部にシートを排出しないときには排出シート保持部に排出されたシートを取り出し易くなる、という優れた効果がある。
【図面の簡単な説明】
【０００６】
【図１】実施例１の排紙部の拡大説明図。
【図２】本実施形態の複写機を操作側から見たときの全体構成の概略構成図。
【図３】排紙部の拡大説明図。
【図４】実施例２の排紙部の拡大説明図。
【図５】実施例３の排紙部の拡大説明図。
【図６】実施例３の排紙部の規制位置に位置する状態での用紙先端ストッパ近傍の拡大説明図。
【図７】実施例４の排紙部の拡大説明図。
【図８】実施例４の排紙部の用紙先端ストッパが大サイズの用紙の排紙に対応した規制位置にある状態の用紙先端ストッパ近傍の拡大説明図。
【図９】本発明に係るシート排出装置の構成を備えたシート処理装置である用紙後処理装置と、画像形成装置とを備えた画像形成システムの概略構成図。
【発明を実施するための形態】
【０００７】
以下、本発明に係るシート排出装置を画像形成装置に適用した実施形態について説明する。
図２は、本実施形態に係る画像形成装置である複写機１を操作側から見たときの全体構成の概略構成図である。
複写機１は、主に、プリンタ部１００、スキャナ部２００、原稿搬送部３００及び給紙部４００を備える。
【０００８】
原稿搬送部３００は、ＡＤＦ（自動原稿搬送装置）であり、画像読み取りの対象となる原稿を自動的に搬送する部分である。
スキャナ部２００は、原稿搬送部３００で搬送された原稿、または、コンタクトガラス上に載置された原稿の画像を読み取る部分である。
給紙部４００は、給紙トレイ３に積載された用紙Ｐの束の最上に一枚の用紙Ｐを給紙ローラ４によってプリンタ部１００に向けて給紙する部分である。
プリンタ部１００は、スキャナ部２００で読み取った原稿の画像情報、または、外部装置から入力される画像情報に基づいて、用紙Ｐ上に画像を形成する部分である。
【０００９】
プリンタ部１００は、感光体６、帯電装置２４、露光装置２５、現像装置２６、転写装置７及び定着装置８等により構成される。
帯電装置２４は、ドラム状の感光体６の表面を一様に帯電させる帯電手段である。露光装置２５はスキャナ部２００で取得した画像情報または外部装置から入力された画像情報に基づいて感光体６の表面を露光することにより、感光体６の表面に静電潜像の書き込みを行う露光手段である。現像装置２６は、感光体６の表面の静電潜像に対してトナーを付着させることにより、静電潜像をトナー像として顕像化させる現像手段である。
【００１０】
転写装置７は、給紙トレイ３から給紙された用紙Ｐに対して感光体６の表面のトナー像を転写させる転写手段である。定着装置８は、トナー像が転写された用紙Ｐに対して定着処理を施す定着手段である。
プリンタ部１００の上部には、定着装置８において定着処理された用紙Ｐが排紙される排紙部２を備える。
排紙部２は、第一排紙トレイ１１と第二排紙トレイ１２とを備え、さらに、第一排紙トレイ１１に向かう第一排紙路１１ａと、第二排紙トレイ１２に向かう第二排紙路１２ａとの分岐点で用紙Ｐの案内先を切り換える分岐爪１０を備える。
【００１１】
次に、複写機１内で用紙Ｐを搬送する搬送経路について説明する。
給紙部４００の給紙トレイ３に積載された用紙Ｐの最上部から給紙ローラ４により分離搬送された用紙Ｐは、プリンタ部１００内のレジストローラ対５に突き当てて一旦停止する。そして、所定のタイミング調整をされた後、用紙Ｐは、レジストローラ対５から感光体６との対向部に搬送され、転写装置７によりトナー像が転写される。
【００１２】
その後、用紙Ｐは、定着装置８により画像が定着され、定着後搬送路１８を経て、排紙出口ローラ対９によって外部に排紙される。排紙された用紙Ｐは、分岐爪１０によって排紙先が切り換えられ、第一排紙トレイ１１または第二排紙トレイ１２に排紙される。排紙先の切り換えとしては、例えば、コピーの機能やプリンタの機能を使用する際に第一排紙トレイ１１に排紙し、ＦＡＸ機能を使用する際に第二排紙トレイ１２に排紙する。
【００１３】
また、用紙Ｐの両面に画像形成する場合には、第一面の画像が形成された用紙Ｐが排紙出口ローラ対９を抜け終わる前に排紙出口ローラ対９を逆転し、両面搬送ローラ１３を経てレジストローラ対５に突き当たる位置まで搬送する。そして、所定のタイミング調整をされた後、用紙Ｐは、レジストローラ対５から感光体６との対向部に搬送され、転写装置７によりトナー像が転写される。その後は、第一面の画像形成時と同様に、所定のタイミング調整をされた後、用紙Ｐは、レジストローラ対５から感光体６との対向部に搬送され、転写装置７により第二面にトナー像が転写される。
第二面にトナー像が転写された用紙Ｐは、定着装置８により画像が定着され、排紙出口ローラ対９を経て、第一排紙トレイ１１または第二排紙トレイ１２に排紙される。
【００１４】
図３は、図２と同じ方向（操作側）から見た排紙部２の拡大説明図であり、回転することで搬送先を切り換える分岐爪１０の移動機構の説明する図面である。図３（ａ）は、分岐爪１０による用紙Ｐの案内先が第二排紙トレイ１２である状態を示し、図３（ｂ）は、用紙Ｐの案内先が第一排紙トレイ１１である状態を示す。
図３に示すように、本実施形態の排紙部２は、第一排紙トレイ１１と第二排紙トレイ１２とが用紙Ｐの排紙方向（図３中の右から左に向かう方向）に並列に設けられ、排紙先を切り換える分岐爪１０を備えている。
【００１５】
分岐爪１０は、爪回転軸１０ａを中心として回転し、排紙先を切り換える。分岐爪１０の初期位置は、図３（ａ）に示す状態であり、スプリング１４によって分岐爪１０における用紙Ｐの搬送方向上流側端部が下方に引っ張られ、第二排紙トレイ１２への排紙が可能な位置になっている。分岐爪１０が初期位置にある状態からソレノイド１５を「ＯＮ」にすることにより、ソレノイド１５が分岐爪１０の一部を図３（ｂ）中の矢印「Ａ」方向に引っ張り、分岐爪１０が図３中の反時計回り方向に回転移動する。これにより、分岐爪１０における用紙Ｐの搬送方向上流側端部が上方に移動し、第一排紙トレイ１１への排紙が可能な位置になる（図３（ｂ）に示す状態となる）。
【００１６】
また、用紙Ｐの両面に画像形成する場合に、第一面に画像形成後、第二面に画像形成するために、排紙出口ローラ対９が逆転する際には、分岐爪１０は初期位置から移動した位置になっている（図３（ｂ）の状態）。
本実施形態では、分岐爪１０の移動機構として、スプリング１４とソレノイド１５とを用いているが、これに限るものではない。例えば、ソレノイド１５の代わりにステッピングモータを用いてもよいし、スプリングを削除して分岐爪１０の自重を用いてもよく、分岐爪１０の移動機構の構成は限定しない。
【００１７】
次に、複写機１の特徴部について説明する。
複写機１の排紙部２は、第一排紙トレイ１１での用紙Ｐの先端位置を規制する位置規制部材（後述する「用紙先端ストッパ１６」）と、位置規制部材を規制位置と退避位置とで移動させる規制部材移動手段（後述する「ストッパ移動機構１５０」）とを備える。規制部材移動手段は、分岐爪１０が用紙Ｐを第一排紙路１１ａに案内する状態では、位置規制部材を、第一排紙トレイ１１での用紙Ｐの位置を規制する規制位置に位置させる。一方、分岐爪１０が用紙Ｐを第二排紙路１２ａに案内する状態では、位置規制部材を、規制位置から退避し、第一排紙トレイ１１での用紙Ｐの位置を規制しない退避位置に位置させる。
【００１８】
〔実施例１〕
図１は、複写機１の一つ目の実施例（以下、「実施例１」と呼ぶ）に係る排紙部２の拡大説明図である。図１は、図３と同じ方向（操作側）から見た拡大説明図であるが、図３とは爪回転軸１０ａの軸方向（図１〜図３中の紙面に直交する方向）の位置が異なる断面における概略図である。図１（ａ）は、分岐爪１０による用紙Ｐの案内先が第一排紙トレイ１１である状態を示し、図１（ｂ）は、用紙Ｐの案内先が第二排紙トレイ１２である状態を示す。
【００１９】
図１に示すように、実施例１は、用紙Ｐの先端位置を規制する位置規制部材である用紙先端ストッパ１６が、ストッパ保持レバー１６０を介して分岐爪１０と一体となるように形成されている。このため、用紙先端ストッパ１６は分岐爪１０と一体的に移動する。
実施例１では、用紙先端ストッパ１６、ストッパ保持レバー１６０、分岐爪１０及びソレノイド１５等によってストッパ移動機構１５０を構成する。ソレノイド１５を「ＯＮ」にすることで用紙先端ストッパ１６は用紙Ｐの先端位置を規制する規制位置に移動し、ソレノイド１５を「ＯＦＦ」にすることで用紙先端ストッパ１６は規制位置から上方に退避した退避位置に移動する。
【００２０】
第一排紙トレイ１１に排紙する画像形成動作を実行する場合には、図３を用いて説明したソレノイド１５を「ＯＮ」にし、分岐爪１０を図１（ａ）に示す状態に位置させる。図１（ａ）に示すように、分岐爪１０が用紙Ｐを第一排紙トレイ１１に案内する状態のときには、用紙先端ストッパ１６は、第一排紙トレイ１１における排紙方向の下流側端部近傍の規制位置に位置する。図１（ａ）に示す状態では、用紙先端ストッパ１６は、排紙され得る用紙Ｐの最大長さの先端を揃える。
【００２１】
画像が形成され、排紙出口ローラ対９が配置された排紙口９０から排紙された用紙Ｐは、図１（ａ）中の矢印「Ｂ１」で示すように、第一排紙路１１ａを通って第一排紙トレイ１１に排出される。第一排紙トレイ１１に排紙された用紙Ｐは排紙方向の先端が用紙先端ストッパ１６に突き当たるため、第一排紙トレイ１１における排紙方向の下流側端部から用紙Ｐが落下することを防止できる。
【００２２】
画像形成動作が終了した後は、ソレノイド１５を「ＯＦＦ」にすることで、分岐爪１０が図１（ｂ）に示す状態に移動するように回転する。この分岐爪１０の回転によって用紙先端ストッパ１６が上方に移動し、規制位置から退避した退避位置に位置する状態となる。図１（ｂ）に示すように、用紙先端ストッパ１６が退避位置に位置することで、用紙先端ストッパ１６は第一排紙トレイ１１に排紙された用紙Ｐを、ユーザーが手で掴んで第一排紙トレイ１１から取り出すことを妨げない。
【００２３】
第二排紙トレイ１２に排紙する画像形成動作を実行する場合には、図３を用いて説明したソレノイド１５を「ＯＦＦ」にし、分岐爪１０を図１（ｂ）に示す状態に位置させる。図１（ｂ）に示すように、分岐爪１０が用紙Ｐを第二排紙トレイ１２に案内する状態のときには、用紙先端ストッパ１６は、退避位置に位置し、第一排紙トレイ１１に排紙された用紙Ｐをユーザーが回収できる状態である。
画像が形成され、排紙出口ローラ対９が配置された排紙口９０から排紙された用紙Ｐは、図１（ｂ）中の矢印「Ｂ２」で示すように、第二排紙路１２ａを通って第二排紙トレイ１２に排出される。
【００２４】
このように実施例１では、第一排紙トレイ１１に用紙Ｐを排出するときには第一排紙トレイ１１での用紙Ｐの位置を用紙先端ストッパ１６で規制することで、第一排紙トレイ１１に排紙された用紙Ｐの落下を防止できる。さらに、第一排紙トレイ１１に用紙Ｐを排出しないときには、用紙先端ストッパ１６が退避位置に移動するため、排紙された用紙Ｐを取り除く際のユーザーの動作を阻害しない。このため、用紙Ｐにダメージを与えることなく排紙された用紙Ｐを第一排紙トレイ１１から取り除くことができる。
【００２５】
〔実施例２〕
図４は、複写機１の二つ目の実施例（以下、「実施例２」と呼ぶ）に係る排紙部２の拡大説明図である。図４は、図３と同じ方向（操作側）から見た拡大説明図であるが、図３とは爪回転軸１０ａの軸方向（図３及び図４中の紙面に直交する方向）の位置が異なる断面における概略図である。図４（ａ）は、分岐爪１０による用紙Ｐの案内先が第一排紙トレイ１１である状態を示し、図４（ｂ）は、用紙Ｐの案内先が第二排紙トレイ１２である状態を示す。図４（ｃ）は、第二排紙トレイ１２に用紙落下防止部材１７を配置した状態の説明図である。
【００２６】
図４に示すように実施例２の複写機１は、実施例１のストッパ保持レバー１６０を備えず、その代わりに第二排紙トレイ１２が、用紙先端ストッパ１６を保持して分岐爪１０と一体的に移動する構成である。
第二排紙トレイ１２が用紙先端ストッパ１６を保持する点、及び、第二排紙トレイ１２が分岐爪１０と一体的に移動する点以外は、上述した実施例１と共通するため、共通する構成については説明を適宜省略する。
【００２７】
実施例２では、用紙先端ストッパ１６、第二排紙トレイ１２、分岐爪１０及びソレノイド１５等によってストッパ移動機構１５０を構成する。ソレノイド１５を「ＯＮ」にすることで用紙先端ストッパ１６は用紙Ｐの先端位置を規制する規制位置に移動し、ソレノイド１５を「ＯＦＦ」にすることで用紙先端ストッパ１６は規制位置から上方に退避した退避位置に移動する。
【００２８】
実施例２では、第二排紙トレイ１２の下部に用紙先端ストッパ１６を設けている。図４（ａ）に示すように、分岐爪１０が用紙Ｐを第一排紙トレイ１１に案内する状態のときには、用紙先端ストッパ１６は、第一排紙トレイ１１における排紙方向の下流側端部近傍の規制位置に位置する。図４（ａ）に示す状態では、排紙口９０から排紙された用紙Ｐの先端を用紙先端ストッパ１６が位置決めする。実施例２では、第二排紙トレイ１２に用紙Ｐが載ったままの状態で分岐爪１０を動作させ、第二排紙トレイ１２が揺動する場合が有り得る。これに対して、第二排紙トレイ１２での用紙Ｐの積載枚数を予め規制しておくことで、第二排紙トレイ１２が揺動した際に第二排紙トレイ１２上の用紙Ｐが落下することを抑制できる。
【００２９】
第二排紙トレイ１２での用紙Ｐの積載枚数が多く、第二排紙トレイ１２が揺動すると用紙Ｐが落下するおそれがある場合は、図４（ｃ）に示すように、第二排紙トレイ１２に用紙落下防止部材１７を配置することで落下を防止できる。用紙落下防止部材１７としては、第二排紙トレイ１２に排紙され得る用紙Ｐで搬送方向の長さが最大となる用紙Ｐの先端を規制する位置で、第二排紙トレイ１２に固定される固定式の部材を用いることができる。
【００３０】
第一排紙トレイ１１に排紙する画像形成動作が終了した後は、ソレノイド１５を「ＯＦＦ」にすることで、分岐爪１０が図４（ｂ）に示す状態に移動するように回転する。この分岐爪１０の回転によって用紙先端ストッパ１６が上方に移動し、規制位置から退避した退避位置に位置する状態となる。図４（ｂ）に示すように、用紙先端ストッパ１６が退避位置に位置することで、用紙先端ストッパ１６は第一排紙トレイ１１に排紙された用紙Ｐを、ユーザーが手で掴んで第一排紙トレイ１１から取り出すことを妨げない。
【００３１】
このように実施例２では、第一排紙トレイ１１に排紙された用紙Ｐの落下を防止でき、排紙された用紙Ｐを取り除く際のユーザーの動作を阻害せず、用紙Ｐにダメージを与えることなく排紙された用紙Ｐを第一排紙トレイ１１から取り除くことができる。
さらに、実施例２では、用紙先端ストッパ１６を第二排紙トレイ１２の下部に設けることで、用紙先端ストッパ１６と分岐爪１０とを連結して回転する部材を新たに追加する必要がなく、部品数の増加を抑制できる。
【００３２】
〔実施例３〕
図５は、複写機１の三つ目の実施例（以下、「実施例３」と呼ぶ）に係る排紙部２の拡大説明図である。図５は、図３と同じ方向（操作側）から見た拡大説明図であるが、図３とは爪回転軸１０ａの軸方向（図３及び図５中の紙面に直交する方向）の位置が異なる断面における概略図である。図５（ａ）は、分岐爪１０による用紙Ｐの案内先が第一排紙トレイ１１である状態を示し、図５（ｂ）は、用紙Ｐの案内先が第二排紙トレイ１２である状態を示す。
【００３３】
図５（ａ）に示すように実施例３の複写機１は、規制位置に位置する用紙先端ストッパ１６の下端部が、第一排紙トレイ１１の上面（用紙積載面）よりも下方に位置し、用紙先端ストッパ１６が第一排紙トレイ１１に食い込んでいる。用紙先端ストッパ１６が第一排紙トレイ１１に食い込んでいる点以外は、上述した実施例１と共通するため、共通する構成については説明を適宜省略する。
【００３４】
図５（ａ）に示すように、分岐爪１０が用紙Ｐを第一排紙トレイ１１に案内する状態のときには、用紙先端ストッパ１６は、第一排紙トレイ１１における排紙方向の下流側端部近傍の規制位置に位置し、排紙された用紙Ｐの転落を防ぐ。また、規制位置では用紙先端ストッパ１６が第一排紙トレイ１１に食い込んでいるため、第一排紙トレイ１１の表面に沿って排紙されてきた用紙Ｐが用紙先端ストッパ１６の下方をすり抜けることを防止でき、より確実に排紙された用紙Ｐの転落を防ぐことができる。
【００３５】
第一排紙トレイ１１に排紙する画像形成動作が終了した後は、ソレノイド１５を「ＯＦＦ」にすることで、分岐爪１０が図５（ｂ）に示す状態に移動するように回転する。この分岐爪１０の回転によって用紙先端ストッパ１６が上方に移動し、規制位置から退避した退避位置に位置する状態となる。図５（ｂ）に示すように、用紙先端ストッパ１６が退避位置に位置することで、用紙先端ストッパ１６は第一排紙トレイ１１に排紙された用紙Ｐを、ユーザーが手で掴んで第一排紙トレイ１１から取り出すことを妨げない。
【００３６】
実施例３では、用紙先端ストッパ１６の下端部であるストッパ先端面１６ａを退避させる位置まで用紙先端ストッパ１６を移動させる。これにより、規制位置では用紙先端ストッパ１６が第一排紙トレイ１１に食い込む構成でも、用紙先端ストッパ１６が第一排紙トレイ１１に排紙された用紙Ｐを、ユーザーが手で掴んで第一排紙トレイ１１から取り出すことを妨げない構成を実現できる。
【００３７】
このように実施例３では、第一排紙トレイ１１に排紙された用紙Ｐが第一排紙トレイ１１の表面に沿って搬送されてきた場合であっても、用紙Ｐが落下することを防止できる。また、排紙された用紙Ｐを取り除く際のユーザーの動作を阻害せず、用紙Ｐにダメージを与えることなく排紙された用紙Ｐを第一排紙トレイ１１から取り除くことができる。
【００３８】
図６は、実施例３の複写機１の用紙先端ストッパ１６が規制位置に位置する状態（図５（ａ）に示す状態）での用紙先端ストッパ１６近傍の拡大説明図である。
図６に示すように、用紙先端ストッパ１６は、ストッパ先端面１６ａと隣接する面にテーパー面１６ｂを備えている。そして、用紙先端ストッパ１６におけるテーパー面１６ｂよりも根元側のストレート部と第一排紙トレイ１１とのオーバーラップ量（図６中の「ｗ１」）は、「０」以上である。
【００３９】
第一排紙トレイ１１に用紙Ｐが載った状態で、用紙先端ストッパ１６が動作したときに、テーパー面１６ｂによって用紙Ｐに対して用紙先端ストッパ１６が円滑に接触する。このため、用紙先端ストッパ１６が第一排紙トレイ１１に載った用紙Ｐに損傷を与えることを防止できる。
【００４０】
〔実施例４〕
図７は、複写機１の四つ目の実施例（以下、「実施例４」と呼ぶ）に係る排紙部２の拡大説明図である。図７は、図３と同じ方向（操作側）から見た拡大説明図であるが、図３とは爪回転軸１０ａの軸方向（図３及び図７中の紙面に直交する方向）の位置が異なる断面における概略図である。実施例４の複写機１は、用紙先端ストッパ１６の、第一排紙トレイ１１における排紙方向の位置を変更可能となっており、図７（ａ）は大サイズの用紙Ｐの排紙に対応した規制位置であり、図７（ｂ）は小サイズの用紙Ｐの排紙に対応した規制位置である。
【００４１】
実施例４の分岐爪１０は、爪回転軸１０ａから排紙方向下流側に伸び、ストッパ保持レバー１６０をスライド可能に支持するスライドガイド部１０ｂを備える。ストッパ保持レバー１６０がスライドガイド部１０ｂに対してスライドすることにより、分岐爪１０と、ストッパ保持レバー１６０と、用紙先端ストッパ１６とからなる爪回転軸１０ａを中心に一体的に回転する機構が伸縮するようになっている。この伸縮により、規制位置となる用紙先端ストッパ１６の第一排紙トレイ１１における位置を変更できる。
【００４２】
分岐爪１０によって案内されて第一排紙トレイ１１に排紙される用紙Ｐが大サイズの用紙Ｐである場合には、図７（ａ）に示すように、スライドガイド部１０ｂに対してストッパ保持レバー１６０が伸び出した状態となるように制御される。この状態では、用紙先端ストッパ１６は、排紙された大サイズの用紙Ｐの先端を揃える。
分岐爪１０によって案内されて第一排紙トレイ１１に排紙される用紙Ｐが小サイズの用紙Ｐである場合には、図７（ｂ）に示すように、スライドガイド部１０ｂに対してストッパ保持レバー１６０が縮んだ状態となるように制御される。この状態では、用紙先端ストッパ１６は、排紙された小サイズの用紙Ｐの先端を揃える。
【００４３】
このように実施例４では、使用する用紙Ｐのサイズが異なる場合であっても排紙された用紙Ｐの脱落を防止できる。また、排紙された用紙Ｐを取り除く際に、用紙先端ストッパ１６がユーザーの動作を阻害せず、用紙Ｐにダメージを与えることなく排紙された用紙Ｐを第一排紙トレイ１１から取り除くことができる。
【００４４】
図８は、実施例４の複写機１の用紙先端ストッパ１６が大サイズの用紙Ｐの排紙に対応した規制位置にある状態（図７（ａ）に示す状態）の用紙先端ストッパ１６近傍の拡大説明図である。図８に示すように、第一排紙トレイ１１の上面には、用紙先端ストッパ１６の先端が食い込むための凹部１１ｂが設けられている。
【００４５】
実施例４では、用紙先端ストッパ１６の位置を変更可能な構成で、第一排紙トレイ１１の表面に沿って排紙されてきた用紙Ｐが用紙先端ストッパ１６の下方をすり抜けることを防止できる。さらに、複写機１の装置前後方向（図７中の紙面に直交する方向）の凹部１１ｂの幅「ｗ２」は、第一排紙トレイ１１に排出し得る用紙Ｐの最小幅以下に設定されている。これにより、第一排紙トレイ１１の表面に沿って排紙されてきた用紙Ｐが第一排紙トレイ１１の上面に設けられた凹部１１ｂに引っ掛かることを防止できる。
【００４６】
従来の、プリンタ、複写機、ファクシミリ等の画像形成装置においては、画像形成装置の画像形成部において画像形成された用紙（シート）が排出される用紙排紙装置（シート排出装置）が取り付けられる。用紙排紙装置の構造としては、排紙トレイ（排出シート保持部）と、この排紙トレイ上に排紙された用紙の先端位置を規制する先端位置規制部材（位置規制部材）を設けたものがある。先端位置規制部材により、用紙が排紙トレイ上に排紙されたとき、その用紙が排紙トレイ上から落下することを防止する。
用紙排紙装置は省スペース、低コストのために小型化が求められる場合が多く、排紙された用紙をユーザーが取り除く際のスペースも狭くなる。結果として、排紙された用紙の先端側から用紙を取り除こうとする場合、先端位置規制部材によってユーザーの動作が阻害され、操作性が悪くなるという問題点がある。
【００４７】
この種の用紙排紙装置として、特許文献１には、固定トレイと、延長トレイと、エンドフェンスとを備える排紙トレイ装置が記載されている。この排紙トレイ装置の固定トレイは、画像形成部で画像形成される最大サイズの用紙を載置可能な排紙トレイである。また、延長トレイは、固定トレイにおける用紙の排紙方向先端側に配置され、固定トレイ内に略収まる収納位置と、用紙の排紙方向へ延出した引出し位置と、の間でスライド可能に設けられた部材である。エンドフェンスは、延長トレイの排紙方向先端部にこの延長トレイの上面より上方に突出した先端位置規制部材である。
【００４８】
特許文献１に記載の排紙トレイ装置では、延長トレイに設けたエンドフェンスによって排紙トレイからの用紙の落下を防止することができる。しかし、排紙トレイにおける排紙方向の先端側から用紙を取り出す場合、エンドフェンス（先端位置規制部材）によってユーザーの用紙取り出し動作が阻害される。また、無理に取り除こうとしたときに、用紙とエンドフェンスが接触してしまい、用紙にダメージを与えてしまうおそれがある。
【００４９】
本実施形態の複写機１は、シート排出装置として排紙部２を備える。排紙部２は、上下二段に重なるように第一排紙トレイ１１と第二排紙トレイ１２を並設し、第一排紙トレイ１１への搬送経路である第一排紙路１１ａと第二排紙トレイ１２への搬送経路である第二排紙路１２ａとの上流側に分岐爪１０を有する。また、分岐爪１０の切り替え動作により、排紙される用紙Ｐの排出先を、第一排紙トレイ１１と第二排紙トレイ１２とに切り替える。そして、実施形態の複写機１では排紙部２において、分岐爪１０の切り替え動作に連動して位置規制部材である用紙先端ストッパ１６の位置を規制位置と退避位置とで切り替える構成になっている。
【００５０】
このように分岐爪１０の状態によって、用紙先端ストッパ１６の位置を変えることで、第一排紙トレイ１１に排紙された用紙Ｐの脱落を防止でき、且つ、排紙された用紙Ｐを取り除く際にユーザーの動作が阻害されない。このため、用紙Ｐの落下を防止しつつ、第一排紙トレイ１１からの用紙Ｐの取り出し性を良くし、取り出し時に用紙Ｐにキズ等のダメージを与えない構成を実現できる。
【００５１】
本実施形態の実施例１〜実施例４の複写機１では、位置規制部材である用紙先端ストッパ１６が、分岐部材である分岐爪１０と一体的に移動する構成であるが、分岐爪１０とは独立した駆動源によって用紙先端ストッパ１６を移動する構成としてもよい。位置規制部材が独立した駆動源を備える構成であれば、位置規制部材が退避位置に移動する構成の自由度が高まる。しかし、本実施形態の複写機１のように、位置規制部材が分岐部材と一体的に移動する構成とすることで、位置規制部材が規制位置と退避位置とで移動する構成で、駆動機構の数が増加することを抑制できる。このため、分岐部材に連動して移動規制部材が移動する構成を安価に実現することができる。
【００５２】
本実施形態の複写機１では、規制位置に位置する位置規制部材が上方に移動して退避位置に到達する構成であるが、規制位置から退避位置への位置規制部材の移動方向は上方に限るものではない。
例えば、規制位置に位置する状態では、第一排紙トレイ１１等の排出シート保持部の表面から位置規制部材が上方に突き出し、退避位置に移動するときには位置規制部材が下方に移動して排出シート保持部の表面から引っ込んで退避位置となる構成としてもよい。また、規制位置から排出方向に直交する左右方向や排出方向下流側に位置規制部材が移動して退避位置となる構成としてもよいが、排出方向下流側に移動すると、先端が位置規制部材に接触しているシートを損傷するおそれがある。このため、規制位置に位置する位置規制部材が、位置を規制するシートがない方向へ移動する構成であることが好ましい。
【００５３】
本実施形態の複写機１では、位置規制部材である用紙先端ストッパ１６は、排出シート保持部である第一排紙トレイ１１におけるシートである用紙Ｐの排出方向の先端の位置を規制する先端位置規制部材である。本発明に係る位置規制部材としては、先端位置規制部材に限るものではなく、排出方向に直交する左右方向のシートの端部を規制するサイド位置規制部材や、排出方向の後端の位置を規制する後端位置規制部材であってもよい。本実施形態の複写機１のように、先端位置規制部材であれば、排出シート保持部にシートを排出するときには、排出シート保持部に勢いよく排出されたシートが排出シート保持部の下流側から落下することを防止できる。
【００５４】
本実施形態の複写機１は、排出シート保持部である排紙トレイとして、第一排紙トレイ１１と第二排紙トレイ１２との二つの排紙トレイを備える。そして、分岐爪１０による案内先が第一排紙トレイ１１ではない状態では、第一排紙トレイ１１での用紙Ｐの先端位置を規制する用紙先端ストッパ１６を規制位置から退避位置に退避する。
【００５５】
本発明に係るシート排出装置の構成を備える画像形成装置としては、分岐手段によって分岐される他の搬送路による搬送先が排紙トレイに限るものではない。例えば、定着装置よりも下流側の、位置規制部材を備えた排紙トレイに向かう排紙路と、レジスト部に再送する両面搬送路と、の分岐点に配置された分岐手段が、用紙を両面搬送路に案内する状態では位置規制部材を退避位置に移動させる構成としてもよい。この構成では、分岐手段がシートを排紙トレイに案内する状態のときは位置規制部材を規制位置に位置させ、分岐手段がシートを両面搬送路に案内する状態のときは位置規制部材を退避位置に位置させる。また、画像形成装置の排紙トレイ以外に搬送する他の搬送路としては、綴じ処理や折り処理等を行うフィニッシャーに向けてシートを搬送する搬送路でもよい。
このように、分岐手段によって分岐される他の搬送路による搬送先が排紙トレイではない画像形成装置では、排紙トレイを複数備える構成でなくても本発明に係るシート排出装置の構成を適用することができる。
【００５６】
本発明に係るシート排出装置の構成を備える装置としては、実施形態の複写機１のような画像形成装置に限るものではない。例えば、画像形成装置によって画像が形成されたシートに綴じ処理、穴開け処理または折り処理等を行うフィニッシャー等のシート処理装置にも適用可能である。また、原稿搬送部３００等の原稿搬送装置が原稿排紙トレイを複数備える等、搬送先が複数ある構成の場合は、原稿搬送装置にも本発明に係るシート排出装置の構成を適用することができる。
【００５７】
以下、本発明に係るシート排出装置をシート処理装置に適用した他の実施形態について説明する。
図９は、本発明に係るシート排出装置の構成を備えたシート処理装置である用紙後処理装置６００と、画像形成装置５００とを備えた画像形成システムの概略構成図である。図９に示す用紙後処理装置６００は、上部排紙トレイ６８と下部排紙トレイ８０との二つの排紙トレイを備え、上部排紙トレイ６８に用紙先端ストッパ１６を備える。用紙先端ストッパ１６は、ストッパ軸１６ｃを中心に回転可能であり、回転することによって図９中の実線で示す規制位置と、破線で示す退避位置との間を移動可能となっている。また、用紙先端ストッパ１６を回転させる規制部材移動手段であるストッパ回転モータ１６ｄを備え、ストッパ回転モータ１６ｄを含む用紙先端ストッパ１６の駆動機構としては公知の駆動機構を用いることができる。
【００５８】
用紙後処理装置６００は、画像形成装置５００から搬送されてきた用紙を受け入れる受入口６１と、受入口６１の下流側の入口ローラ６２と、さらに下流側に中継ローラ６３とを備える。入口ローラ６２と中継ローラ６３の間には穿孔部６４を備え、穿孔処理制御部によって制御され、用紙に穿孔処理を施す。
【００５９】
用紙後処理装置６００には複数の搬送経路がある。画像形成装置５００から搬送されてきた用紙をそのまま上部排紙トレイ６８に排出するストレート搬送経路６０１、用紙に端綴じを行なう端綴じ搬送経路６０２、用紙に中綴じを行なう中綴じ搬送経路６０３で構成されている。中継ローラ６３の直後が、ストレート搬送経路６０１と端綴じ搬送経路６０２との分岐点となっており、この分岐点に第一分岐爪６５を備える。
ストレート搬送経路６０１にはストレート搬送ローラ６６を備え、さらに下流には上部排紙トレイ６８に用紙を排出する上部排紙ローラ６７を備える。
【００６０】
端綴じ搬送経路６０２に複数の端綴じ搬送ローラ６９を備え、さらに下流に積載トレイ７０を備える。積載トレイ７０に用紙揃えジョガー７１を備え、積載トレイ７０に積載された用紙の幅方向を揃える。積載トレイ７０の近傍に端綴じ圧着綴じ部７２を備え、端綴じ圧着綴じ制御手段によって制御され、用紙の所定の位置に綴じ処理を施す。端綴じ搬送経路６０２の下流端は、ストレート搬送経路６０１と中綴じ搬送経路６０３との分岐点となっており、この分岐点に第二分岐爪７３を備える。
【００６１】
中綴じ搬送経路６０３に複数の中綴じ搬送ローラ７４を備え、この下流に用紙サイズに応じて移動可能な中綴じ基準フェンス７５を備える。中綴じ基準フェンス７５の上方に中折りブレード７６を備え、中折りブレード７６と対向する位置に中折りローラ７７を備える。中綴じ基準フェンス７５と中折りブレード７６との間に中綴じ圧着綴じ部７８を備え、中綴じ圧着綴じ制御手段によって制御され、用紙の所定の位置に綴じ処理を施す。中折りローラ７７の下流には下部排紙トレイ８０に用紙を排出する下部排紙ローラ７９を備える。
【００６２】
用紙後処理装置６００で端綴じを行なうときは、第一分岐爪６５は用紙を端綴じ搬送経路６０２に案内する位置とし、第二分岐爪７３は用紙をストレート搬送経路６０１に案内する位置とする。画像形成装置５００から用紙後処理装置６００に搬送された用紙は入口ローラ６２及び中継ローラ６３によって搬送され、第一分岐爪６５に案内されて端綴じ搬送経路６０２へと搬送される。端綴じ搬送経路６０２に搬送された用紙は、積載トレイ７０に積載され、指定された枚数の用紙が積載されると、端綴じ圧着綴じ部７２で綴じ処理が施される。端綴じ処理が施された用紙束は下流に搬送され、第二分岐爪７３に案内されてストレート搬送経路６０１へと搬送され、上部排紙トレイ６８に排出され積載される。このとき、用紙の排出方向下流側端部が用紙先端ストッパ１６に突き当たり、落下が防止される。
【００６３】
一方、中綴じを行なうときは、第一分岐爪６５は用紙を端綴じ搬送経路６０２に案内する位置とし、第二分岐爪７３は用紙を中綴じ搬送経路６０３に案内する位置とする。そして、上述した端綴じを行なうときと同様に積載トレイ７０へと用紙が搬送された後、積載トレイ７０にて積載されることなくさらに下流へと搬送され、第二分岐爪７３に案内されて中綴じ搬送経路６０３へと搬送される。中綴じ搬送経路６０３に搬送された用紙は中綴じ搬送経路６０３の終端に設けられた中綴じ基準フェンス７５に突き当てられ集積される。指定した枚数の用紙が集積されると、中綴じ圧着綴じ部７８で、綴じ処理が施される。
【００６４】
中綴じ処理が施された用紙束は中綴じ基準フェンス７５によって用紙サイズごとに決められた位置まで持ち上げられ、中折りブレード７６と中折りローラ７７によって中折り処理が施される。中折り処理が施された用紙束は下部排紙ローラ７９によって下部排紙トレイ８０に排出され積載される。
【００６５】
用紙後処理装置６００で後処理を行なわないとき、第一分岐爪６５は用紙をストレート搬送経路６０１に案内する位置とする。そして、画像形成装置５００から用紙後処理装置６００に搬送された用紙は入口ローラ６２及び中継ローラ６３によって搬送され、第一分岐爪６５に案内されてストレート搬送経路６０１へと搬送され、上部排紙トレイ６８に排出され積載される。このとき、用紙の排出方向下流側端部が用紙先端ストッパ１６に突き当たり、落下が防止される。
【００６６】
図９に示す用紙後処理装置６００では、分岐手段である第一分岐爪６５及び第二分岐爪７３が、用紙をストレート搬送経路６０１に案内する状態では、用紙先端ストッパ１６が実線に示す規制位置に位置するように用紙先端ストッパ１６の駆動機構を制御する。一方、第一分岐爪６５及び第二分岐爪７３が、用紙を中綴じ搬送経路６０３に案内する状態では、用紙先端ストッパ１６が破線に示す退避位置に位置するように用紙先端ストッパ１６の駆動機構を制御する。
【００６７】
本発明に係るシート排出装置が排出する「シート」は、紙、コート紙、ＯＨＰシート、ラベル紙、フィルム、布帛等を含む。さらに、「シート」は、樹脂製シート、表裏面の保護紙、金属製シート、銅箔等の金属箔やメッキ処理等を施した電子回路基板材、特殊フィルム、プラスチックフィルム、プリプレグ、電子回路基板用シート等を含む。プリプレグは、炭素繊維等に予め樹脂が含浸してあるシート状の材料である。プリプレグの例としては、炭素繊維やガラスクロスのような繊維状補強材に、硬化剤、着色剤などの添加物を混合した熱硬化性樹脂等を含浸させ、加熱または乾燥して半硬化状態にしたシート状の強化プラスチック成形材料が含まれる。
【００６８】
また、シート排出装置の構成を備えた「画像形成装置」は、紙、ＯＨＰシート、糸、繊維、布帛、皮革、金属、プラスチック、ガラス、木材、セラミックス等の媒体に現像剤やインクを付着させて画像形成を行なう装置を含む。また、「画像形成」は、文字や図形等の意味を持つ画像を媒体に対して付与することだけでなく、パターン等の意味を持たない画像を媒体に付与することをも含む。
【００６９】
以上に説明したものは一例であり、次の態様毎に特有の効果を奏する。
【００７０】
（態様１）
用紙Ｐ等のシートを搬送する定着後搬送路１８等の搬送部の排紙口９０等の排出口から排出されたシートを保持する第一排紙トレイ１１等の排出シート保持部と、排出シート保持部でのシートの位置を規制する用紙先端ストッパ１６等の位置規制部材と、を備える排紙部２等のシート排出装置において、排出シート保持部に向かう第一排紙路１１ａ等の排出路と第二排紙路１２ａ等の他の搬送路とで案内先を切り換える分岐爪１０等の分岐手段と、分岐手段が排出路に案内する状態では規制位置とし、分岐手段が他の搬送路に案内する状態では退避位置とするように位置規制部材を移動するストッパ移動機構１５０等の規制部材移動手段と、を備える。
これよれば、上記実施形態について説明したように、排出シート保持部にシートを排出するときには位置規制部材が排出シート保持部でのシートの位置を規制する規制位置に位置して排出シート保持部でのシートの位置を規制することができる。また、排出シート保持部にシートを排出しないときには、位置規制部材が排出シート保持部でのシートの位置を規制しない退避位置に位置するため、排出シート保持部に排出されたシートを取り出すときに位置規制部材が邪魔にならず、シートを取り出し易くなる。
【００７１】
（態様２）
態様１において、位置規制部材は、規制位置から上方に移動することで退避位置に移動することを特徴とする。
これよれば、上記実施形態について説明したように、規制位置に位置する位置規制部材が退避位置に移動するときの移動方向を、位置を規制するシートがない方向へ移動する構成とすることができる。これにより、規制位置で位置を規制していたシートに対して、退避位置に移動する位置規制部材が接触し、移動方向に力を加えることを防止でき、退避位置に移動する位置規制部材によってシートが損傷することを防止できる。
【００７２】
（態様３）
態様２において、規制位置に位置する状態の位置規制部材の下端部（ストッパ先端面１６ａ等）は、排出シート保持部のシート載置面（第一排紙トレイ１１の上面等）よりも下方であることを特徴とする。
これよれば、上記実施例３について説明したように、排出シート保持部のシート載置面に沿って排出されてきたシートが位置規制部材の下方をすり抜けることを防止でき、より確実に排出されたシートの位置を規制することができる。
【００７３】
（態様４）
態様１乃至３の何れかの態様において、他の搬送路は、排出シート保持部に対してシートの排出方向に並列に配置された第二排紙トレイ１２等の第二排出シート保持部にシートを排出する第二排紙路１２ａ等の第二排出路であることを特徴とする。
これよれば、上記実施形態について説明したように、分岐手段によって第二排出路にシートを案内されるときには、排出シート保持部に排出されたシートを取り出すときに位置規制部材が邪魔にならず、シートを取り出し易くなる。
【００７４】
（態様５）
態様２または３において、他の搬送路は、排出シート保持部に対してシートの排出方向に並列に配置された第二排紙トレイ１２等の第二排出シート保持部にシートを排出する第二排紙路１２ａ等の第二排出路であり、第二排出シート保持部は、排出シート保持部の上方に位置し、排出されるシートの下面を保持する第二排紙トレイ１２等の第二排出トレイを備え、第二排出トレイの下部に位置規制部材を配置し、分岐手段の状態に応じて第二排出トレイが上下方向に移動することを特徴とする。
これよれば、上記実施例３について説明したように、位置規制部材と分岐手段とを連結して回転する部材を新たに追加する必要がなく、部品数の増加を抑制できる。
【００７５】
（態様６）
態様１乃至５の何れかの態様において、位置規制部材は、排出シート保持部におけるシートの排出方向の先端の位置を規制する先端位置規制部材であることを特徴とする。
これよれば、上記実施形態について説明したように、排出シート保持部にシートを排出するときに、排出シート保持部におけるシートの排出方向の下流側端部からシートが落下することを防止できる。
【００７６】
（態様７）
態様６において、先端位置規制部材の、排出シート保持部におけるシートの排出方向の位置を変更可能であることを特徴とする。
これよれば、上記実施例４について説明したように、使用するシートのサイズが異なる場合であっても排出されたシートの脱落を防止できる。また、排出されたシートを取り除く際に、位置規制部材が、ユーザー等の作業者のシート取り除き動作を阻害せず、シートにダメージを与えることなく排出されたシートを排出シート保持部から取り除くことができる。
【００７７】
（態様８）
態様１乃至７の何れかの態様において、分岐手段は、シートを排出路に案内する排出案内位置と、シートを他の搬送路に案内する他の案内位置とで移動する分岐爪１０等の分岐部材を備え、位置規制部材は、分岐部材と一体的に移動することを特徴とする。
これよれば、上記実施形態について説明したように、位置規制部材が規制位置と退避位置とで移動する構成で、駆動機構の数が増加することを抑制できる。
【００７８】
（態様９）
用紙Ｐ等のシート状の記録媒体に画像を形成するプリンタ部１００等の画像形成部と、画像が形成され、排紙口９０等の排出口から排出された記録媒体を保持する第一排紙トレイ１１等の排出記録媒体保持部と、を備える複写機１等の画像形成装置において、態様１乃至８の何れかに係るシート排出装置の構成を備えることを特徴とする。
これよれば、上記実施形態について説明したように、排出記録媒体保持部に記録媒体を排出するときには排出記録媒体保持部での記録媒体の位置を規制できる。さらに、排出記録媒体保持部に記録媒体を排出しないときには排出記録媒体保持部に排出された記録媒体を取り出し易くなる。
【００７９】
（態様１０）
用紙Ｐ等のシートに対して、綴じ処理、穴開け処理または折り処理の少なくとも一つのシート処理を行う穿孔部６４、端綴じ圧着綴じ部７２、中折りブレード７６及び中綴じ圧着綴じ部７８等のシート処理部を備える用紙後処理装置６００等のシート処理装置において、態様１乃至８の何れかに係るシート排出装置の構成を備えることを特徴とする。
これよれば、上記他の実施形態について説明したように、排出記録媒体保持部に記録媒体を排出するときには排出記録媒体保持部での記録媒体の位置を規制できる。さらに、排出記録媒体保持部に記録媒体を排出しないときには排出記録媒体保持部に排出された記録媒体を取り出し易くなる。
【符号の説明】
【００８０】
１  複写機
２  排紙部
３  給紙トレイ
４  給紙ローラ
５  レジストローラ対
６  感光体
７  転写装置
８  定着装置
９  排紙出口ローラ対
１０  分岐爪
１０ａ  爪回転軸
１０ｂ  スライドガイド部
１１  第一排紙トレイ
１１ａ  第一排紙路
１１ｂ  凹部
１２  第二排紙トレイ
１２ａ  第二排紙路
１３  両面搬送ローラ
１４  スプリング
１５  ソレノイド
１６  用紙先端ストッパ
１６ａ  ストッパ先端面
１６ｂ  テーパー面
１６ｃ  ストッパ軸
１６ｄ  ストッパ回転モータ
１７  用紙落下防止部材
１８  定着後搬送路
２４  帯電装置
２５  露光装置
２６  現像装置
６１  受入口
６２  入口ローラ
６３  中継ローラ
６４  穿孔部
６５  第一分岐爪
６６  ストレート搬送ローラ
６７  上部排紙ローラ
６８  上部排紙トレイ
６９  端綴じ搬送ローラ
７０  積載トレイ
７１  用紙揃えジョガー
７２  端綴じ圧着綴じ部
７３  第二分岐爪
７４  中綴じ搬送ローラ
７５  中綴じ基準フェンス
７６  折りブレード
７７  折りローラ
７８  中綴じ圧着綴じ部
７９  下部排紙ローラ
８０  下部排紙トレイ
９０  排紙口
１００  プリンタ部
１５０  ストッパ移動機構
１６０  ストッパ保持レバー
２００  スキャナ部
３００  原稿搬送部
４００  給紙部
５００  画像形成装置
６００  用紙後処理装置
６０１  ストレート搬送経路
６０２  端綴じ搬送経路
６０３  中綴じ搬送経路
Ｐ  用紙
【先行技術文献】
【特許文献】
【００８１】
【特許文献１】特開２００３−０４０５１３号公報
【図１】
2019137482.tif 000003
【図２】
2019137482.tif 000004
【図３】
2019137482.tif 000005
【図４】
2019137482.tif 000006
【図５】
2019137482.tif 000007
【図６】
2019137482.tif 000008
【図７】
2019137482.tif 000009
【図８】
2019137482.tif 000010
【図９】
2019137482.tif 000011